(57)【要約】【課題】カレットを冷却水にて冷却しながら搬送し、かつ搬送直後のカレットの含有水分量を低減させ得る振動式搬送装置を提供する。【解決手段】カレットＧを冷却水Ｗと共に収容してその一端にカレットＧを排出する搬出開口部１５を有するトラフ１２と、トラフ１２を搬送方向に加振する加振機構部１３とを備えて振動によりカレットＧを搬送する振動式搬送装置１１であって、トラフ１２の搬出開口部側の底面１８が搬出開口部１５側を上方に向けて傾斜してなり、トラフ１２の側壁部１６の所定位置にトラフ１２内の冷却水Ｗを横溢させる排水口２１を備えてなることを特徴とし、搬出開口部１５より搬出されるカレットＧの含有水分量を減らすことができる。【選択図】　　　　　図１
2004075274.tif 000002
【特許請求の範囲】
【請求項１】
カレットを冷却水と共に収容してその一端にカレットを排出する搬出開口部を有するトラフと、該トラフを搬送方向に加振する加振機構部とを備え、振動によりカレットを搬送する振動式搬送装置であって、
前記トラフの搬出開口部側の底面が搬出開口部側を上方に向けて傾斜してなり、該トラフの側壁部の所定位置にトラフ内の冷却水を横溢させる排水口を備えてなることを特徴とする振動式搬送装置。
【請求項２】
排水口は、搬送中のカレットを冷却するに必要とする水位が確保できる位置に形成されてなることを特徴とする請求項１に記載の振動式搬送装置。
【請求項３】
排水口は、カレットの流出を抑えるフイルタを備えており、該フイルタの排水開口部はトラフの内側が狭く外側が広い形状であることを特徴とする請求項１または請求項２に記載の振動式搬送装置。
【請求項４】
トラフの搬出開口部側の底面は、傾きが１〜１０％勾配であることを特徴とする請求項１から３の何れかに記載の振動式搬送装置。
【発明の詳細な説明】
【０００１】
【発明の属する技術分野】
本発明は、カレットを収容したトラフを振動させることによりカレットを搬送する振動式搬送装置に関する。
【０００２】
【従来の技術】
ガラス製品の生産工程において、例えば、溶融工程では均質なガラスを得るために溶融ガラスからの揮発成分の蒸散により目的ガラス組成とは異なったガラス表面生地のみをガラス溶融窯から排出することが行われる。また、成型工程においても所期の品位を有さないガラス成型品については後工程に送られることなく廃棄される。これらの排出あるいは廃棄されたガラスは適度な大きさに砕かれてカレットとなり、このようなカレットは搬送装置により所定の場所まで搬送され、所定成分に調整された生原料に混入されることで再利用に供される。
【０００３】
従来、カレットの搬送には、図４に示すような振動式搬送装置が用いられている。振動式搬送装置１は、カレット廃棄シュート２から供給されるカレットＧおよび冷却水Ｗを収容・搬送するために水平に設けられたトラフ３と、トラフ３を加振するための加振機構部４とを有する。トラフ３は、長尺の底面５と、一端の搬出開口部６を除いて底面５の三方を囲繞する側壁部７とからなり、この側壁部７はカレットＧの搬送方向に平行に延在する側壁面８と搬出開口部６とは反対側の他端に立設する端側面９とからなっている。かかるトラフ３は加振機構部４の上方に水平に配設されており、加振機構部４によりトラフ３を加振してトラフ３内のカレットＧを振動させることにより移動させ、トラフ３の搬出開口部６から落下排出させることによりカレットＧを所定位置まで搬送する。
【０００４】
【発明が解決しようとする課題】
しかしながら、先記したようにカレットＧはガラス原料の溶融促進を目的として、後にガラスの生原料と混合され再利用されることから、カレットＧの水分含有量が多過ぎると、投入前のガラス原料が湿潤して固まるか、あるいは溶融条件が不安定になるという不都合を来す。そのため、搬送後のカレットＧは、再利用可能な水分レベルになるまでカレットヤードと呼ばれる土間にて一定期間保管されている。
【０００５】
従来の振動式搬送装置１では、トラフ３内の搬送されるカレットＧが多量の冷却水Ｗとともに搬送されるため、搬送後のカレットＧには多量の水分が含まれている。したがって、かかるカレットＧを再利用可能な水分レベルにするには、カレットヤードにおける保管に長時間を要することになり、カレットＧの処理効率の低下をまねくとともに、カレットヤードの占有スペースが増大化するという問題を生じていた。
【０００６】
また、従来の振動式搬送装置１では、カレットＧの搬送経路付近および排出場所には多量の冷却水Ｗが飛散することから、作業環境の面からも改善が求められていた。
【０００７】
そこで、本発明の目的は、カレットを冷却水にて冷却しながら搬送し、かつ搬送直後のカレットの含有水分量を低減させるとともに、冷却水の飛散防止等の作業環境を改善し得る振動式搬送装置を提供することである。
【０００８】
【課題を解決するための手段】
本発明に係る振動式搬送装置は、カレットを冷却水と共に収容してその一端にカレットを排出する搬出開口部を有するトラフと、該トラフを搬送方向に加振する加振機構部とを備え、振動によりカレットを搬送する振動式搬送装置であって、前記トラフの搬出開口部側底面が搬出開口部側を上方に向けて傾斜してなり、該トラフの側壁部の所定位置にトラフ内の冷却水を横溢させる排水口を備えてなることを特徴とする。
【０００９】
このような振動式搬送装置によりカレットを冷却水と共に搬送すると、搬出開口部側が上方に向けて傾斜してあることにより、カレットとともに搬送されてきた冷却水は堰き止められ、カレットのみが振動により傾斜底面を搬送され搬出開口部から排出される。
【００１０】
また、搬送されるカレットは連続して供給され続けるため、冷却水も連続してトラフに供給されるが、トラフの側壁部の所定位置にトラフ内の冷却水を横溢させる排水口を設けることでトラフ内の冷却水をカレットと別の方向に排出することができる。
【００１１】
なお、このトラフの排水口の外部に排水口より横溢した冷却水の回収機構を設けることで、振動式搬送装置の周辺への冷却水の飛散を防止でき、さらに回収された冷却水は、例えば、水処理設備等で処理された後、冷却水等に再利用することができ好ましい。
【００１２】
また、本発明の振動式搬送装置は、排水口が、搬送中のカレットを冷却するに必要とする水位が確保できる位置に形成されてなることを特徴とする。
【００１３】
このように、トラフ内に、カレットが浸漬されるだけの冷却水を保有することにより、カレットの冷却を効果的に行うことができる。具体的には、トラフの側壁部の排水口は、排水口の下端がトラフの底面よりも高い位置に形成され、搬送中のカレットを浸漬できる水位にしてあるか、少なくとも以後の工程で取扱が可能な程度に冷却できる水深を確保できることが好ましい。
【００１４】
また、本発明の振動式搬送装置は、排水口が、カレットの流出を抑えるフイルタを備えており、該フイルタの排水開口部はトラフの内側が狭く外側が広い形状であることを特徴とする。
【００１５】
トラフの側壁部の排水口は、排水の際にカレットの流出を抑えるフイルタ構造を備え、そのフイルタは、例えば、カレットの搬送方向と平行に、排水部と遮蔽部が交互に並んだスリット構造であることが好ましい。冷却水の遮蔽部の断面はトラフの内側が広く、外側が狭い形状である。即ち、排水部の形状はトラフの内側が狭く、外側が広くなっており、一旦排水部内に入ったカレット等は、速やかに排出される構造になっている。
【００１６】
一般には、水を通し、カレットのような固形物の排出を抑えるような目的には、メッシュのような細かい網目状のフイルタが用いられる。しかし、カレットを冷却水ともに搬送する場合には、メッシュで冷却水と大半のカレットは分離できるが、ビリと呼ばれる粉末状のカレットは水中に浮遊し冷却水と共に排水口から流れ出る。このビリは形状が針状のものが多く、排水口から流れ出る際に網目状のフイルタでは引っ掛って目詰まりが起こり易く、冷却水の排水そのものを妨げてしまう。
【００１７】
そこで、本発明では、遮蔽部の断面形状が、トラフの内側が広く外側が狭い、例えば、台形でスリット状であるフイルタでは、針状の粉末状カレットでも目詰まりが起き難く、万一目詰まりが起こったとしても、トラフや冷却水の振動により容易に目詰まりが解消しやすい。更に、断面の形状が外側に行くに従って隙間が広くなる台形であるため、トラフの内側で針状の粉末状カレットが引っ掛っても、トラフや冷却水の振動あるいは水圧により奥（外）側へ押されることにより速やかに排出される。本発明では、断面の形状を台形に限らず、冷却水の入る側の隙間が狭く、出る側が広い断面形状であれば使用可能である。
【００１８】
スリット状をした排水部の隙間は、カレットの大きさ、粉末状カレットの発生量、排水される冷却水の量及び／又は振動等の条件により変わるが、本発明者の実績ではトラフの内側の最も狭い所で、０．５〜５ｍｍの範囲で好ましい結果が得られた。
【００１９】
さらに、本発明の振動式搬送装置は、トラフの搬出開口部側の底面は、傾きが１〜１０％勾配であることを特徴とする。
【００２０】
本発明のトラフ底面は搬出開口部側が上方に向けて傾斜している。搬出開口部から排出されるカレットの含有水分量を減らすためには、傾斜している該トラフ底面の搬出開口部に向けて上方に傾斜している面（以下傾斜底面と称す）の、トラフ内に保有する冷却水面より上の距離の長い方が水切りの効果があり好ましい。
【００２１】
カレットを振動により傾斜底面を上方へ搬送することを考えると傾斜は小さい方が良い。しかし、傾斜が小さい緩斜面になると傾斜底面が長くなりトラフそのものも長くなるためトラフの重量も増加し、トラフを振動させるために大きな加振機構が必要になる。一方、傾斜底面の傾斜が大きく急勾配になると、振動により傾斜面を上方に上るカレットの割合が減り排出量すなわち搬送量が少なくなる。
【００２２】
このような試験の結果、本発明者は、トラフ搬出開口部側の底面の傾きが、１〜１０％勾配である、即ち、傾斜底面が水平距離１００に対し垂直距離が１〜１０の割合となる傾きであることがより好ましいことを見出した。
【００２３】
なお、排出開口部からのカレットの排出を増やすために、傾斜底面にカレットの搬送方向に直交するように長さを持った凸部を複数個設けると、傾斜面を下方へ戻るカレットを減らし搬送量を増やす上で有効である。
【００２４】
【発明の実施の形態】
以下に、図に基づいて、本発明に係る振動式搬送装置の実施の形態を説明する。
【００２５】
図１の振動式搬送装置１１はカレットＧを収容搬送するために設けられたトラフ１２と、トラフ１２を加振するための加振機構部１３とを有する。トラフ１２は、長尺の底面１４と、一端の搬出開口部１５を除いて底面１４の三方を囲繞する側壁部１６とからなる。この底面１４は水平底面１７と搬出開口部側の傾斜底面１８とからなる。また、側壁部１６はカレットＧの搬送方向に平行に延在する側壁面１９と搬出開口部１５とは反対側の他端に立設する端側面２０とからなっている。かかるトラフ１２は加振機構部１３の上方に水平底面１７を水平にして設置されており、加振機構部１３によりトラフ１２を加振してトラフ１２内の水平底面１７上のカレットＧを振動搬送させ、傾斜底面１８を経て搬出開口部１５から落下排出させることにより、カレットＧを所定位置まで搬送する。なお、傾斜底面１８の傾きは水平距離３０００ｍｍに対し垂直距離は５０ｍｍで、１．７％の勾配である。
【００２６】
一方、カレットＧとともに供給された冷却水Ｗは、トラフ１２の水平底面１７、傾斜底面１８、側壁面１９および端側面２０で囲まれた範囲に保有されるが、その冷却水Ｗの水位は水平底面１７から３０ｍｍの位置の側壁面１９に設けられた排水口２１の下端により決められる。なお、排水口２１にはカレットの流出防止のため、スリット状のフイルタ２２が設けられている。この排水口２１から排出された冷却水Ｗはトラフ１２の外部に設けられた回収機構２３により回収することができる。なお、本実施の形態では、回収機構２３はトラフ１２とは分離して設けられているが、回収機構２３は、例えば、蛇腹状等の振動吸収構造を有するものをトラフ１２に直接固定してもよい。
【００２７】
図２は、図１の縦断面図であり、図３は、図１のトラフ１２のスリット状フイルタ２２を含む部位の断面図である。トラフ１２のカレットＧの搬送方向に平行に延在する高さ２００ｍｍの側壁面１９に、水平底面１７から３０ｍｍの位置から高さ１００ｍｍ長さ５００ｍｍの開口部を設けた排水口２１である。排水口２１には、排水部２４と遮蔽部２５が水平底面１７に平行にかつ交互に並んだスリット構造を持つフイルタ２２が設けられている。フイルタ２２は、遮蔽部２５の断面がトラフ１２の内面側で広く、外面側で狭い台形状をしている。トラフ１２内面側の排水部２４の隙間は１ｍｍである。なお、排水口２１の配設位置としては、トラフ１２の水平な部分の廃棄シュート２に影響されない部位で、トラフ１２内のカレットＧと冷却水Ｗが安定して流れるところに設けることがフイルタ２２の目詰まりを防止し安定して排水する上で好ましい。
【００２８】
上記の実施の形態では、振動式搬送装置の冷却水の排水口をトラフの側壁面に設けたが、これに限定するものではなく、廃棄シュートの影響がなくカレットと冷却水が安定して流れる部位であれば他の位置でもよい。
【００２９】
【発明の効果】
本発明に係る振動式搬送装置によれば、トラフの搬出開口部側の底面が搬出開口部側を上方に向けて傾斜してなり、該トラフの側壁部の所定位置にトラフ内の冷却水を横溢させる排水口を備えてなるので、カレットとともに搬送されてきた冷却水は堰き止められ、カレットのみが振動により傾斜底面を搬送され搬出開口部から排出され、十分にカレットの水切りが可能となる。
【００３０】
また、本発明の振動式搬送装置は、トラフの側壁部の排水口が、搬送中のカレットを冷却するに必要とする水位が確保できる位置に形成されてなり、トラフ内にカレットが浸漬される冷却水位を確保することで効果的にカレットの冷却が行え、結果として冷却水の削減が可能となる。
【００３１】
また、本発明の振動式搬送装置は、トラフの側壁部の排水口が、カレットの流出を抑えるフイルタを備えており、該フイルタの排水開口部はトラフの内側が狭く外側が広い形状であり、目詰まりが起き難く、目詰まりが起こった場合でもトラフや冷却水の振動により容易に目詰まりが解消しやすくなり、メンテナンス費用等の削減が可能となる。
【００３２】
さらに、本発明の振動式搬送装置は、トラフの搬出開口部側の底面は、傾きが１〜１０％勾配であるので、トラフの重量及びカレット搬送量の最適化が可能となり、設備費を低減することができる。
【００３３】
以上のように、本発明の振動式搬送装置によれば、カレットを冷却水にて冷却しながら搬送し、かつ搬送直後のカレットの含有水分量を低減させ得るとともに、冷却水の飛散に伴う作業環境を改善し得る振動式搬送装置を提供することができる実用上優れた効果を奏するものである。
【図面の簡単な説明】
【図１】本発明に係る振動式搬送装置の実施形態の説明図。
【図２】図１の縦断面図。
【図３】図１の排水口の断面図。
【図４】従来の振動式搬送装置の概略図である。
【符号の説明】
１、１１　振動式搬送装置
２　カレット廃棄シュート
３、１２　トラフ
４、１３　加振機構部
５、１４　底面
６、１５　搬出開口部
７、１６　側壁部
８、１９　側壁面
９、２０　端側面
１７　水平底面
１８　傾斜底面
２１　排水口
２２　フイルタ
２３　回収機構
２４　排水部
２５　遮蔽部
Ｇ　カレット
Ｗ　冷却水
【図１】
2004075274.tif 000003
【図２】
2004075274.tif 000004
【図３】
2004075274.tif 000005
【図４】
2004075274.tif 000006